(57)【要約】  【課題】  ヒートポンプユニットの能力低下を防止して、効率的に能力を安定させること。  【解決手段】  貯湯タンク２７に設けられた湯温検出センサの出力に基づいて、貯湯運転が停止されるように制御装置Ｓ１、Ｓ２が制御するが、制御装置Ｓ２が所定の検出センサからの５５℃以上の検出出力を入力するか、床暖房リモコン３、４、浴室暖房リモコン２３からの全ての運転停止信号を入力すると、その検出出力か全ての運転停止信号かを制御装置Ｓ１に伝達する。制御装置Ｓ１ではその検出出力か全ての運転停止信号が伝達されると、それが貯湯停止命令か暖房停止命令かの判別を行う。暖房停止命令と判別した場合には、暖房用の第１開閉弁１３が現在開いているか否かを制御装置Ｓ１が判断し、開いている場合には所定時間経過後、例えば１０秒間経過後にこの第１開閉弁１３を閉じるように制御装置Ｓ１が制御する。  【選択図】  図２
2005241216.tif 000002
【特許請求の範囲】
【請求項１】
能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と温水暖房器との間で温水を循環させる第１温水循環路と、前記第２水冷媒熱交換器と貯湯タンクとの間で温水を循環させる第２温水循環路とを備えたことを特徴とするヒートポンプ式給湯暖房装置。
【請求項２】
能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と床暖房パネル等の温水暖房器との間で温水を循環させる第１温水循環路と、前記第２水冷媒熱交換器と貯湯タンクとの間で温水を循環させる第２温水循環路とを形成し、貯湯運転と暖房運転との同時運転から貯湯運転か暖房運転かを停止する際に停止する方に対応する前記第１開閉弁又は第２開閉弁を一定時間経過後に閉じるように制御する制御装置を設けたことを特徴とするヒートポンプ式給湯暖房装置。
【請求項３】
能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と床暖房パネル等の温水暖房器との間で温水を循環させる第１温水循環路と、前記第２水冷媒熱交換器と貯湯タンクとの間で温水を循環させる第２温水循環路とを形成し、貯湯運転と暖房運転との同時運転から貯湯運転か暖房運転かを停止する際の停止信号を受けてから時間を計時するタイマと、このタイマによる所定時間経過後に停止信号に対応する前記第１開閉弁又は第２開閉弁を閉じるように制御する制御装置を設けたことを特徴とするヒートポンプ式給湯暖房装置。
【請求項４】
前記冷媒回路の第１分岐路の第１水冷媒熱交換器から流出した冷媒と前記空気熱交換器から流出した冷媒との熱交換を行う熱交換器を備えたことを特徴とする請求項１乃至３のいずれかに記載のヒートポンプ式給湯暖房装置。
【発明の詳細な説明】
【技術分野】
【０００１】
本発明は、ＨＦＣやＣＯ２等の冷媒を用いたヒートポンプ式給湯暖房装置に関する。
【背景技術】
【０００２】
従来のこの種のヒートポンプ式給湯暖房装置は、ヒートポンプユニットで熱交換して得られた高温水を貯湯タンクに貯湯・蓄熱し、このタンクの高温水を給湯や風呂に使用するとともに、この高温水と熱交換して得られた暖房用温水を用いて温水暖房を行うものが知られている。このものでは、暖房負荷が大きいと十分な温度の温水が得られないものであった。
【０００３】
また、ヒートポンプユニットの冷媒回路に給湯用の水冷媒熱交換器と暖房用の水冷媒熱交換器を直列に組み込み、給湯用の温水と暖房用の温水とが得られるようにしたものが知られている（例えば、特許文献１参照）。
【０００４】
ところが、この特許文献１に示すものでは、温水暖房を行っているときは高温水の貯湯ができなくなるため、高温水の貯湯と温水暖房のいずれかを優先させたり、交互に行うなどしなければならず、使い勝手の面で問題があった。
【０００５】
このため、高温水の貯湯と温水暖房とを同時に行う場合や、どちらか一方を行う場合のいずれにも対応できるようにし、使い勝手の良いヒートポンプ式給湯暖房装置が要望された。
【０００６】
そこで、特許文献２で示すように、能力調整可能な圧縮機と、第１水冷媒熱交換器、第１開閉弁及び第１減圧装置よりなる第１分岐路と第２水冷媒熱交換器、第２開閉弁及び第２減圧装置よりなる第２分岐路との並列回路と、空気熱交換器とを順次環状に接続して冷媒回路を形成すると共に、前記第１水冷媒熱交換器と床暖房パネル等の温水暖房器との間で温水を循環させる第１温水循環路と、前記第２水冷媒熱交換器と貯湯タンクとの間で温水を循環させる第２温水循環路とを備える技術が提案された。
【特許文献１】特開２００２−２５７３６６号公報
【特許文献２】特願２００３−５９４２の願書に添付された明細書及び図面
【発明の開示】
【発明が解決しようとする課題】
【０００７】
しかし、前記第１開閉弁は第１水冷媒熱交換器の下流に、また第２開閉弁は第２水冷媒熱交換器の下流に配設されたものである。このため、暖房と貯湯の同時運転から暖房の単独運転か貯湯単独運転に切り替る際に、運転しない側の開閉弁を閉じると、運転しない側の水冷媒熱交換器に凝縮された冷媒が溜まり、熱交換されてしまい、このためヒートポンプユニットの能力低下を招く問題がある。
【０００８】
そこで本発明は、ヒートポンプユニットの能力低下を防止して、効率的に能力を安定させることを目的とする。
【課題を解決するための手段】
【０００９】
このため第１の発明は、能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と温水暖房器との間で温水を循環させる第１温水循環路と、前記第２水冷媒熱交換器と貯湯タンクとの間で温水を循環させる第２温水循環路とを備えたことを特徴とする。
【００１０】
第２の発明は、能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と床暖房パネル等の温水暖房器との間で温水を循環させる第１温水循環路と、前記第２水冷媒熱交換器と貯湯タンクとの間で温水を循環させる第２温水循環路とを形成し、貯湯運転と暖房運転との同時運転から貯湯運転か暖房運転かを停止する際に停止する方に対応する前記第１開閉弁又は第２開閉弁を一定時間経過後に閉じるように制御する制御装置を設けたことを特徴とする。
【００１１】
第３の発明は、能力調整可能な圧縮機と、暖房用の第１開閉弁、暖房用の第１水冷媒熱交換器及び第１減圧装置よりなる第１分岐路と貯湯用の第２開閉弁、貯湯用の第２水冷媒熱交換器及び第２減圧装置よりなる第２分岐路との並列回路と、空気熱交換器とを順次環状に接続して冷媒回路を形成すると共に、前記第１水冷媒熱交換器と床暖房パネル等の温水暖房器との間で温水を循環させる第１温水循環路と、前記第２水冷媒熱交換器と貯湯タンクとの間で温水を循環させる第２温水循環路とを形成し、貯湯運転と暖房運転との同時運転から貯湯運転か暖房運転かを停止する際の停止信号を受けてから時間を計時するタイマと、このタイマによる所定時間経過後に停止信号に対応する前記第１開閉弁又は第２開閉弁を閉じるように制御する制御装置を設けたことを特徴とする。
【００１２】
また第４の発明は、第１乃至第３の発明において、前記冷媒回路の第１分岐路の第１水冷媒熱交換器から流出した冷媒と前記空気熱交換器から流出した冷媒との熱交換を行う熱交換器を備えたことを特徴とする。
【発明の効果】
【００１３】
第１の発明によれば、運転しない暖房用の第１開閉弁又は貯湯用の第２開閉弁が閉じても、暖房用の第１水冷媒熱交換器又は貯湯用の第２水冷媒熱交換器に凝縮された冷媒が溜まるのが極力防止され、ヒートポンプユニットの能力低下を防止できて、効率的に能力を安定させることができる。また、第２及び第３の発明によれば、暖房と貯湯の同時運転が行なわれているときに、いずれかの運転を停止する場合には、対応する第１開閉弁又は第２開閉弁を直ちに閉じるのではなく、所定時間経過後に対応する第１開閉弁又は第２開閉弁を閉じるように制御するから、冷媒の流通を安定化でき、圧力の上昇を防止することができる。
【発明を実施するための最良の形態】
【００１４】
以下、本発明の実施の形態を図面に基づき説明する。図１はヒートポンプ式給湯暖房装置の全体システムを示す系統図である。図１において、Ａはヒートポンプユニット、Ｂはタンクユニット、Ｃ１は温水暖房用の第１温水循環路、Ｃ２は貯湯用の第２温水循環路、Ｒは前記ヒートポンプユニットＡに内蔵された冷媒回路である。ＨＦＣやＣＯ２等の冷媒を用いることができるが、本実施形態ではＣＯ２を用いる。
【００１５】
１及び２は第１温水循環路Ｃ１に設けられた床暖房パネル、３及び４は前記床暖房パネル１及び２に対応して設けられた床暖房リモートコントローラ（以下、「床暖房リモコン」という）であり、前記第１温水循環路Ｃ１には、熱動弁５及び６、循環ポンプ７、膨張タンク８、冷媒と水とを熱交換させる暖房用の第１水冷媒熱交換器９の水流路９Ｂ、バイパス管１０などが設けられている。
【００１６】
前記冷媒回路Ｒは、ＣＯ２冷媒を吸入圧縮し高温高圧にする能力調整が可能な２段圧縮式の圧縮機１１と、暖房用の第１開閉弁１３、前記第１水冷媒熱交換器９の冷媒流路９Ａ、内部熱交換器１２の一次流路１２Ａ及び第１膨張弁（減圧装置）１４よりなる第１分岐路Ｐ１と貯湯用の第２開閉弁１６、冷媒と水とを熱交換させる貯湯用の第２水冷媒熱交換器１５の冷媒流路１５Ａ及び第２膨張弁（減圧装置）１７よりなる第２分岐路Ｐ２との並列回路と、外気と冷媒との熱交換を行う空気熱交換器１８と、内部熱交換器１２の二次流路１２Ｂと、アキュムレーター１９とが順次環状に配管接続されている。
【００１７】
前記第１温水循環路Ｃ１には、第１水冷媒熱交換器９の水流路９Ｂから流出した暖房用温水の温度を検出するサーミスタ２０、流量調整弁２１、浴室暖房用のファンコイル２２が設けられている。２３は浴室暖房リモートコントローラ（以下、「浴室暖房リモコン」という）、２４はファンコイル２２の入口部に設けられた熱動弁、２５は循環ポンプ７によって膨張タンク８から流出した温水の一部を床暖房パネル１、２に供給するための熱動弁、２６は床暖房パネル１、２に流入する温水温度を検知するサーミスタである。
【００１８】
前記第２温水循環路Ｃ２は、第２水冷媒熱交換器１５の水流路１５Ｂと貯湯タンク２７とが循環ポンプ２８、流量調整弁２９を介して環状に接続されている。３０は第２水冷媒熱交換器１５の水流路１５Ｂから流出した温水温度を検知するサーミスタである。
【００１９】
前記貯湯タンク２７には水々熱交換器３１の一次流路３１Ａが循環ポンプ３２を介して接続されている。また、水々熱交換器３１の二次流路３１Ｂには循環ポンプ３３を介して浴槽３４が接続されている。３５は貯湯タンク２７の上部に接続された給湯管であり、この給湯管３５にはミキシングバルブ３６が設けられている。３８は給水管であり、この給水管３８は貯湯タンク２７の下部と前記ミキシングバルブ３６とに分岐接続され、更に開閉弁３９を介して膨張タンク８に接続されている。
【００２０】
なお、前記貯湯タンク２７の容量は例えば３７０リットルであり、この貯湯タンク２７には湯温検出センサＴＳ１、ＴＳ２、ＴＳ３、ＴＳ４、ＴＳ５、ＴＳ６及びＴＳ７が貯湯タンク２７の下部から上部まで間隔を存して設けられ、沸き上げ温度が５５℃のため、前記各センサの検出湯温が５５℃以上の場合には貯湯タンク２７内の上端からその位置までは貯湯されており残湯ありと後述する制御装置Ｓ２が判断する。このとき、検出センサＴＳ１の配置箇所は残湯量が３５０リットル、ＴＳ２が同じく３００リットル、ＴＳ３が２５０リットル、ＴＳ４が２００リットル、ＴＳ５が１５０リットル、ＴＳ６が１００リットル、ＴＳ７が５０リットルの位置である。また、ＷＳ１は前記循環ポンプ２８の出口近くの湯温を検出する湯温検出センサである。
【００２１】
そして、消費者は電力会社と時間帯別電灯契約を結んで、料金の安い深夜時間帯では所定の時刻に貯湯量から沸き上げ量、そして全量沸き上げに必要な時間を算出し、沸き上げ終了時刻より前記必要な時間を考慮して逆算した時刻から貯湯運転を開始し、全量沸き上げ終了（湯温検出センサＷＳ１の検出温度が５５℃以上）次第停止するように制御装置Ｓ２により制御されると共に、それ以外の時間帯では残湯量が１００リットルを割ったら貯湯運転を開始し、１５０リットル以上になったらこの貯湯運転を停止するように制御装置Ｓ２が制御する。
【００２２】
また、ヒートポンプユニットＡとタンクユニットＢには、それぞれマイクロコンピュータ等から成る制御装置Ｓ１、Ｓ２が設けられている。この制御装置Ｓ１、Ｓ２は床暖房リモコン３、４、お風呂場に設けられた風呂リモートコントローラ（以下、「風呂リモコン」という）４０、台所に設けられた台所リモートコントローラ（以下、「台所リモコン」という）４１や浴室暖房用のファンコイル２２からの運転信号や温度信号と、サーミスタ２０、２６、３０の温度信号とに応じて、圧縮機１１の運転と周波数制御、循環ポンプ７、２８の運転制御、熱動弁５、６、２５、第１開閉弁１３及び第２開閉弁１６の開閉制御、膨張弁１４、１７の開度制御、流量調整弁２１、２９の開度制御などを行うものであり、以下その動作を説明する。
【００２３】
〈床暖房運転〉
床暖房パネル１による床暖房を行う場合、その部屋の壁面等に取り付けられた床暖房リモコン３の運転スイッチをオンにする。すると、制御装置Ｓ２はこれに対応した熱動弁５を開くように制御すると共に循環ポンプ７を運転させ、第１温水循環路Ｃ１では、膨張タンク８→循環ポンプ７→第１水冷媒熱交換器９の水流路９Ｂ→流量調整弁２１→熱動弁５→床暖房パネル１→膨張タンク８の順に温水が流れる。なお、バイパス管１０は、熱動弁５が開くのに時間がかかり、また熱動弁５が故障している場合でも対応できるように、温水の一部をバイパスさせるものであり、微少量の温水が流れる。
【００２４】
また、前記床暖房リモコン３の運転スイッチをオンにした際に、制御装置Ｓ１はヒートポンプユニットＡの圧縮機１１を運転させ、第１開閉弁１３及び第１膨張弁１４を開くように制御し、冷媒回路Ｒでは、圧縮機１１→第１開閉弁１３→暖房用の第１水冷媒熱交換器９の冷媒流路９Ａ→内部熱交換器１２の一次流路１２Ａ→第１膨張弁１４→空気熱交換器１８→内部熱交換器１２のニ次流路１２Ｂ→アキュムレーター１９→圧縮機１１の順に冷媒が流れる。このとき、貯湯は行われないので、第２開閉弁１６及び第２膨張弁１７は閉じている。
【００２５】
前記床暖房パネル１に供給される温水の温度は６０〜７０℃であるが、サーミスタ２０が検知する温水温度がこの温度になるように圧縮機１１の周波数制御、第１膨張弁１４の弁開度制御及び流量調整弁２１の弁開度制御が制御装置Ｓ１により行われる。
【００２６】
また、床暖房制御は、床暖房リモコン３に搭載された室温サーミスタ（図示せず）により室温を検知し、設定温度と室温との偏差に基づき熱動弁５を開閉制御し、床暖房パネル１への温水量を制御装置Ｓ２が制御することにより行われる。
【００２７】
また、床暖房パネル２で同時に床暖房を行う場合、床暖房リモコン４の運転スイッチをオンにすることにより、同様に熱動弁６が開閉制御され、床暖房パネル１及び２に同時に温水が供給され、床暖房パネル１及び２への温水量を個別に制御することにより、床暖房の個別制御が可能となっている。
【００２８】
このような床暖房運転を行う場合、床暖房する部屋が暖まってくると、床暖房パネル１、２からの放熱量が小さくなり、膨張タンク８から水冷媒熱交換器９の水流路９Ｂへは５０〜６０℃の温水が供給されることとなる。このため、水冷媒熱交換器９ではそれほど熱交換されず、冷媒温度も高温となって圧縮機１１に負荷がかかる。このような場合の冷媒の冷却機構として設けたのが内部熱交換器１２であり、内部熱交換器１２の一次流路１２Ａでの放熱分は同じ冷媒回路Ｒにある内部熱交換器１２の二次流路１２Ｂで再度吸収されるため、無駄なく、効率を落とすことなく、冷媒回路Ｒを構成できる。
【００２９】
〈浴室暖房運転〉
ファンコイル２２による浴室暖房を行う場合、浴室暖房リモコン２３の運転スイッチ(図示せず)をオンにする。すると、制御装置Ｓ２がファンコイル２２入口部の熱動弁２４を開かせ、循環ポンプ７を運転させる。第１温水循環路Ｃ１では、膨張タンク８→循環ポンプ７→第１水冷媒熱交換器９の水流路９Ｂ→流量調整弁２１→熱動弁２４→ファンコイル２２→膨張タンク８の順に温水が流れる。バイパス管１０は、前記熱動弁２４が開くのに時間がかかり、また熱動弁２４が故障している場合でも対応できるように、温水の一部をバイパスさせるものであり、微少量の温水が流れる。
【００３０】
なお、このときヒートポンプユニットＡの動作と冷媒循環は床暖房運転と同様であり、貯湯は行われないので、第２開閉弁１６及び第２膨張弁１７は閉じている。
【００３１】
前記ファンコイル２２に供給される温水の温度は８０℃であるが、そのための温水制御は床暖房運転の場合と同様である。また、浴室暖房制御はファンコイル２２に搭載された室温サーミスタ（図示せず）により室温を検知し、制御装置Ｓ２がファン回転数を制御し、熱動弁２４を開閉制御することにより行われる。
【００３２】
〈床暖房と浴室暖房の同時運転〉
床暖房パネル１、２による床暖房と、ファンコイル２２による浴室暖房を同時に行う場合、それぞれのリモコン３、４、２３の運転スイッチをオンにする。すると、制御装置Ｓ２は熱動弁５、６、２４を開くように制御し、循環ポンプ７を運転させ、第１温水循環路Ｃ１では、膨張タンク８→循環ポンプ７→第１水冷媒熱交換器９の水流路９Ｂ→流量調整弁２１→熱動弁５、６→床暖房パネル１、２→膨張タンク８の順に温水が流れると共に、膨張タンク８→循環ポンプ７→第１水冷媒熱交換器９の水流路９Ｂ→流量調整弁２１→熱動弁２４→ファンコイル２２→膨張タンク８の順に温水が流れる。
【００３３】
バイパス管１０は、前記熱動弁５、６、２４が開くのに時間がかかり、また、熱動弁５、６、２４が故障している場合でも対応できるように、温水の一部をバイパスさせるものであり、微少量の温水が流れる。
【００３４】
このときのサーミスタ２０による温水温度制御は８０℃であるが、これでは床暖房パネル１、２用の温水としては温度が高すぎることになる。これを解決するために、熱動弁２５を開くことで８０℃の温水に膨張タンク８からの中温水を混ぜ、サーミスタ２６にて検知される温水の温度が６０〜７０℃になるように制御装置Ｓ２が制御している。また、中温水を混ぜすぎて低温になった場合は、制御装置Ｓ２は熱動弁２５を閉じるように制御すると共に、サーミスタ２６の検知温度に基づく熱動弁２５の開閉制御を行う。
【００３５】
ヒートポンプユニットＡの動作と冷媒循環は、床暖房運転又は浴室暖房運転と同様であり、貯湯は行われないので、第２開閉弁１６及び第２膨張弁１７は閉じている。
【００３６】
〈貯湯運転〉
料金の安い深夜時間帯では所定の時刻に貯湯量から沸き上げ量、そして全量沸き上げに必要な時間を算出し、沸き上げ終了時刻より前記必要な時間を考慮して逆算した時刻から貯湯運転が開始される。また、それ以外の時間帯では残湯量が１００リットルを割ったら、即ち検出センサＴＳ６が湯温５５℃未満を検出した場合には、貯湯運転が開始される。
【００３７】
即ち、前記検出センサからの検出出力に基づいて、貯湯タンク２７に貯湯が行なわれ、制御装置Ｓ２は循環ポンプ２８を運転させ、第２温水循環路Ｃ２では、貯湯タンク２７→循環ポンプ２８→第２水冷媒熱交換器１５の水流路１５Ｂ→流量調整弁２９→貯湯タンク２７の順に給湯用の温水が流れ、貯湯タンク２７に貯湯される。
【００３８】
ヒートポンプユニットＡでは制御装置Ｓ１により圧縮機１１が運転すると共に第２開閉弁１６が開き、冷媒回路Ｒでは、圧縮機１１→第２開閉弁１６→第２水冷媒熱交換器１５の冷媒流路１５Ａ→第２膨張弁１７→空気熱交換器１８→内部熱交換器１２のニ次流路１２Ｂ→アキュムレーター１９→圧縮機１１の順に冷媒が流れる。このとき、暖房は行われないので、第１開閉弁１３及び第１膨張弁１４は閉じている。また、内部熱交換器１２の二次流路１２Ｂでは冷媒がただ通過するだけで、他に影響を及ぼすことはない。
【００３９】
貯湯タンク２７へ供給される温水温度は９０℃であるが、サーミスタ３０が検知する温度がこの温度になるように、制御装置Ｓ１により圧縮機１１の周波数制御、第２膨張弁１７の弁開度制御、流量調整弁２９の弁開度制御が行われる。
【００４０】
貯湯タンク２７に貯湯された高温水はミキシングバルブ３６にて適度な温度に調整され、給湯管３５から台所やシャワーへの給湯や浴槽３４へのお湯張り等に利用される。そして、給湯が行われると、給水管３８から貯湯タンク２７に給水が行われる。また、循環ポンプ３２、３３を運転することにより、貯湯タンク２７の高温水と浴槽３４の温水を水々熱交換器３１で熱交換し、浴槽３４の温水の追い焚きを行うこともできる。
【００４１】
そして、前記深夜時間帯では全量沸き上げが終了した場合（湯温検出センサＷＳ１が５５℃以上を検出した場合）、またそれ以外の時間帯では残湯量が１５０リットル以上となったら、即ち検出センサＴＳ５が５５℃以上を検出した場合には、貯湯運転が停止されるように制御装置Ｓ１及びＳ２が制御する。
【００４２】
〈暖房と貯湯の同時運転〉
この場合の暖房用温水の循環経路と貯湯用の温水の循環経路は上述したとおりである。冷媒回路Ｒでは、圧縮機１１→第１開閉弁１３→第１水冷媒熱交換器９の冷媒流路９Ａ→内部熱交換器１２の一次流路１２Ａ→第１膨張弁１４→空気熱交換器１８→内部熱交換器１２の二次流路１２Ｂ→アキュムレーター１９→圧縮機１１の順に冷媒が流れると共に、圧縮機１１→第２開閉弁１６→第２水冷媒熱交換器１５の冷媒流路１５Ａ→第２膨張弁１７→空気熱交換器１８→内部熱交換器１２の二次流路１２Ｂ→アキュムレーター１９→圧縮機１１の順に冷媒が流れる。
【００４３】
また、サーミスタ２０、２６、３０においてそれぞれ上述した目標温度になるように、圧縮機１１の周波数制御、第１膨張弁１４及び第２膨張弁１７の弁開度制御、流量調整弁２１、２９の弁開度制御が制御装置Ｓ１及びＳ２により行われる。基本的には、膨張弁１４、１７の制御により、第１分岐路（暖房側）Ｐ１と第２分岐路Ｐ２（貯湯側）とに１：１の割合で冷媒を配分し、同時運転が行われた場合でも、暖房側と貯湯側とで十分な能力が得られるようにしてある。
【００４４】
ここで、前述したような暖房と貯湯の同時運転から暖房の単独運転又は貯湯の単独運転に切り替った場合の動作について、図２のフローチャートに基づいて説明する。
【００４５】
先ず、前述したように、前記深夜時間帯では全量沸き上げ終了を認識（全量沸き上げ終了を検出、即ち湯温検出センサＷＳ１が５５℃以上を検出）した場合には、またそれ以外の時間帯では検出センサＴＳ５が５５℃以上を検出した場合には、これらの検出センサの出力に基づいて、貯湯運転が停止されるように制御装置Ｓ１、Ｓ２が制御するが、制御装置Ｓ２が所定の検出センサからの５５℃以上の検出出力を入力するか、床暖房リモコン３、４、浴室暖房リモコン２３からの全ての運転停止信号を入力すると、その検出出力か全ての運転停止信号かを制御装置Ｓ１に伝達する。
【００４６】
そして、制御装置Ｓ１ではその検出出力か全ての運転停止信号が伝達されると、それが貯湯停止命令か暖房停止命令かの判別を行なう。暖房停止命令と判別した場合には、暖房用の第１開閉弁１３が現在開いているか否かを制御装置Ｓ１が判断し、閉じている場合にはそのまま閉じた状態を維持し、開いている場合には図示しないタイマによる所定時間経過後、例えば１０秒間経過後にこの第１開閉弁１３を閉じるように制御装置Ｓ１が制御する。
【００４７】
また、前述したように、制御装置Ｓ１で貯湯停止命令か暖房停止命令かの判別を行ない、貯湯停止命令と判別した場合には、貯湯用の第２開閉弁１６が現在開いているか否かを制御装置Ｓ１が判断し、閉じている場合にはそのまま閉じた状態を維持し、開いている場合には図示しないタイマによる所定時間経過後、例えば１０秒間経過後にこの第２開閉弁１６を閉じるように制御装置Ｓ１が制御する。
【００４８】
なお、前記両タイマは、制御装置Ｓ１であるマイクロコンピュータに設けてもよい。更には、第１開閉弁１３に関係するタイマと、第２開閉弁１６に関係するタイマとを１つのタイマで兼用してもよい。
【００４９】
以上のように、暖房と貯湯の同時運転が行なわれている場合に、いずれかの運転を停止する場合には、対応する第１開閉弁１３又は第２開閉弁１６を直ちに閉じるのではなく、所定時間経過後に対応する第１開閉弁１３又は第２開閉弁１６を閉じるように制御する。
【００５０】
従って、従来のように、暖房用の第１開閉弁又は貯湯用の第２開閉弁をそれぞれ暖房用の第１水冷媒熱交換器９又は貯湯用の第２水冷媒熱交換器１５の下流側に配設した場合には、運転しない暖房用の第１開閉弁又は貯湯用の第２開閉弁が閉じると、暖房用の第１水冷媒熱交換器９又は貯湯用の第２水冷媒熱交換器１５に凝縮された冷媒が溜まって、熱交換されてしまって、ヒートポンプユニットＡの能力低下を招く問題があったが、本実施形態のように暖房用の第１開閉弁１３又は貯湯用の第２開閉弁１６をそれぞれ暖房用の第１水冷媒熱交換器９又は貯湯用の第２水冷媒熱交換器１５の上流側に配設した場合には、運転しない暖房用の第１開閉弁１３又は貯湯用の第２開閉弁１６が閉じても、暖房用の第１水冷媒熱交換器９又は貯湯用の第２水冷媒熱交換器１５に凝縮された冷媒が溜まるのが極力防止され、ヒートポンプユニットの能力低下を防止できて、効率的に能力を安定させることができる。
【００５１】
しかも、暖房と貯湯の同時運転が行なわれている場合に、いずれかの運転を停止する場合には、対応する第１開閉弁１３又は第２開閉弁１６を直ちに閉じるのではなく、所定時間経過後に対応する第１開閉弁１３又は第２開閉弁１６を閉じるように制御するから、冷媒の流通を安定化でき、圧力の上昇を防止することができる。
【００５２】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００５３】
【図１】ヒートポンプ式給湯暖房装置の全体系統図である。
【図２】フローチャート図である。
【符号の説明】
【００５４】
１、２      床暖房パネル（温水暖房器）
９          第１水冷媒熱交換器
１１        圧縮機
１２        内部熱交換器
１３        第１開閉弁
１５        第２水冷媒熱交換器
１６        第２開閉弁
１４        第１膨張弁（減圧装置）
１７        第２膨張弁（減圧装置）
２２        ファンコイル
２７        貯湯タンク
Ｃ１        第１温水循環路
Ｃ２        第２温水循環路
１８        空気熱交換器
Ｐ１        第１分岐路
Ｐ２        第２分岐路
Ｒ          冷媒回路
【図１】
2005241216.tif 000003
【図２】
2005241216.tif 000004